【手続補正書】
【提出日】令和3年10月26日(2021.10.26)
【手続補正１】
【補正対象書類名】特許請求の範囲
【補正対象項目名】全文
【補正方法】変更
【補正の内容】
【特許請求の範囲】
【請求項１】
電子ブックに伴う補足コンテンツを提供する方法であって、前記方法は、
電子ブックにおけるテキストの部分を選択する第１のユーザ入力を受信することと、
前記テキストの部分を解析し、前記テキストの部分におけるキーワードを決定することと、
前記キーワードに基づいて、補足コンテンツのためのクエリを生成することと、
前記クエリを遠隔データベースに伝送することと、
前記遠隔データベースから、前記キーワードに基づく複数の検索結果を受信することと、
前記電子ブックのタイトルおよびチャプタに基づいて、前記複数の検索結果をフィルタ処理することと、
前記フィルタ処理に基づく前記複数の検索結果のうちの検索結果を表示のために生成することと、
前記検索結果を選択する第２のユーザ入力を受信することと、
前記検索結果に対応する補足コンテンツアイテムを受信することと、
ユーザデバイスにおいて、前記補足コンテンツアイテムを表示のために生成することと
を含む、方法。
【請求項２】
電子ブックに伴う補足コンテンツを提供する方法であって、前記方法は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を含む、方法。
【請求項３】
第３の基準に基づいて、前記検索結果をフィルタ処理することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、請求項２に記載の方法。
【請求項４】
前記ユーザデバイスにおいて、前記検索結果をフィルタ処理するための第３の基準を自動的に選択することをさらに含み、前記第３の基準は、前記電子ブックに関連付けられた映画のバージョンに基づいている、請求項２に記載の方法。
【請求項５】
ユーザ入力を受信することによって前記テキストの部分を識別し、前記テキストの部分のためのＥＰＵＢオーバーレイクラスを生成することによって、前記テキストの部分をハイライトすることをさらに含む、請求項２に記載の方法。
【請求項６】
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、請求項２に記載の方法。
【請求項７】
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、請求項２に記載の方法。
【請求項８】
前記チャプタを自動的に選択することは、前記電子ブックのテキストの最後に表示されたページに基づいて、前記電子ブックにおけるユーザの進捗に対応するページ番号を決定することを含み、
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらし、
前記ユーザデバイスにおいて、前記補足コンテンツアイテムと前記テキストの部分に戻るための選択可能オプションとを表示のために生成することをさらに含み、
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、請求項２に記載の方法。
【請求項９】
電子ブックに伴う補足コンテンツを提供するためのシステムであって、前記システムは、請求項１〜８のいずれかに記載の方法を実施するように構成された制御回路を備える、システム。
【請求項１０】
電子ブックに伴う補足コンテンツを提供するためのエンコードされた非一過性のコンピュータ読み取り可能な命令を有する非一過性のコンピュータ読み取り可能な媒体であって、前記命令は、制御回路によって実行されると、請求項１〜８のいずれかに記載の方法を実施することを前記制御回路に行わせる、非一過性のコンピュータ読み取り可能な媒体。
【手続補正２】
【補正対象書類名】明細書
【補正対象項目名】００２８
【補正方法】変更
【補正の内容】
【００２８】
上で説明されるシステム、方法、装置、および／または側面は、本開示に説明される他のシステム、方法、装置、および／または側面に適用され、またはそれに従って使用され得ることに留意されたい。
本発明は、例えば、以下を提供する。
（項目１）
電子ブックに伴う補足コンテンツを提供する方法であって、前記方法は、
電子ブックにおけるテキストの部分を選択する第１のユーザ入力を受信することと、
前記テキストの部分を解析し、前記テキストの部分におけるキーワードを決定することと、
前記キーワードに基づいて、補足コンテンツのためのクエリを生成することと、
前記クエリを遠隔データベースに伝送することと、
前記遠隔データベースから、前記キーワードに基づく複数の検索結果を受信することと、
前記電子ブックのタイトルおよびチャプタに基づいて、前記複数の検索結果をフィルタ処理することと、
前記フィルタ処理に基づく前記複数の検索結果のうちの検索結果を表示のために生成することと、
前記検索結果を選択する第２のユーザ入力を受信することと、
前記検索結果に対応する補足コンテンツアイテムを受信することと、
前記ユーザデバイスにおいて、前記補足コンテンツアイテムを表示のために生成することと
を含む、方法。
（項目２）
電子ブックに伴う補足コンテンツを提供する方法であって、前記方法は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を含む、方法。
（項目３）
第３の基準に基づいて、前記検索結果をフィルタ処理することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目２に記載の方法。
（項目４）
前記ユーザデバイスにおいて、前記検索結果をフィルタ処理するための第３の基準を自動的に選択することをさらに含み、前記第３の基準は、前記電子ブックに関連付けられた映画のバージョンに基づいている、項目２に記載の方法。
（項目５）
ユーザ入力を受信することによって前記テキストの部分を識別し、前記テキストの部分のためのＥＰＵＢオーバーレイクラスを生成することによって、前記テキストの部分をハイライトすることをさらに含む、項目２に記載の方法。
（項目６）
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、項目２に記載の方法。
（項目７）
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、項目２に記載の方法。
（項目８）
前記チャプタを自動的に選択することは、前記電子ブックのテキストの最後に表示されたページに基づいて、前記電子ブックにおけるユーザの進捗に対応するページ番号を決定することを含む、項目２に記載の方法。
（項目９）
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、項目２に記載の方法。
（項目１０）
前記ユーザデバイスにおいて、前記補足コンテンツアイテムと前記テキストの部分に戻るための選択可能オプションとを表示のために生成することをさらに含む、項目２に記載の方法。
（項目１１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、項目２に記載の方法。
（項目１２）
電子ブックに伴う補足コンテンツを提供するためのシステムであって、前記システムは、
ユーザ入力を受信するように構成された入出力（Ｉ／Ｏ）インターフェース回路と、
制御回路と
を備え、
前記制御回路は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を行うように構成されている、システム。
（項目１３）
前記制御回路は、第３の基準に基づいて、前記検索結果をフィルタ処理するようにさらに構成され、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目１２に記載のシステム。
（項目１４）
前記制御回路は、前記ユーザデバイスにおいて、前記検索結果をフィルタ処理するための第３の基準を自動的に選択するようにさらに構成され、前記第３の基準は、前記電子ブックに関連付けられた映画のバージョンに基づいている、項目１２に記載のシステム。
（項目１５）
前記制御回路は、ユーザ入力を受信することによって前記テキストの部分を識別し、前記テキストの部分のためのＥＰＵＢオーバーレイクラスを生成することによって、前記テキストの部分をハイライトするようにさらに構成されている、項目１２に記載のシステム。
（項目１６）
前記制御回路は、
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
を行うようにさらに構成されている、項目１２に記載のシステム。
（項目１７）
前記制御回路は、
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
を行うようにさらに構成されている、項目１２に記載のシステム。
（項目１８）
前記チャプタを自動的に選択するように構成された前記制御回路は、前記電子ブックのテキストの最後に表示されたページに基づいて、前記電子ブックにおけるユーザの進捗に対応するページ番号を決定するようにさらに構成されている、項目１２に記載のシステム。
（項目１９）
前記制御回路は、前記ユーザデバイスにおいて、前記テキストの部分と同じページにおいて前記電子ブック表示に組み込まれた選択可能インジケータを生成するようにさらに構成され、前記選択可能インジケータは、選択されると、前記補足コンテンツアイテムが前記ユーザデバイスにおいて表示されることをもたらす、項目１２に記載のシステム。
（項目２０）
前記制御回路は、前記ユーザデバイスにおいて、前記補足コンテンツアイテムと前記テキストの部分に戻るための選択可能オプションとを表示のために生成するようにさらに構成されている、項目１２に記載のシステム。
（項目２１）
前記ユーザデバイスまたは前記第２のユーザデバイスにおいて、前記補足コンテンツアイテムを表示のために生成するように構成された前記制御回路は、前記補足コンテンツアイテムが表示されることが可能かどうかをコンテンツ制御に基づいて決定するようにさらに構成されている、項目１２に記載のシステム。
（項目２２）
電子ブックに伴う補足コンテンツを提供するためのシステムであって、前記システムは、
ユーザデバイスにおいて、電子ブックにおけるテキストの部分を選択する第１のユーザ入力を受信する手段と、
前記ユーザデバイスにおいて、前記テキストの部分を解析し、前記テキストの部分におけるキーワードを決定する手段と、
前記ユーザデバイスにおいて、前記キーワードに基づいて、補足コンテンツのためのクエリを生成する手段と、
前記ユーザデバイスから、前記クエリを遠隔データベースに伝送する手段と、
前記ユーザデバイスにおいて、前記遠隔データベースから、前記キーワードに基づく複数の検索結果を受信する手段と、
前記ユーザデバイスにおいて、前記電子ブックのためのマニフェストファイルを読み出す手段であって、前記マニフェストファイルは、前記テキストの部分が選択された前記電子ブックのタイトルおよび前記電子ブックのチャプタを示す、手段と、
前記ユーザデバイスにおいて、前記マニフェストファイルに基づいて、前記タイトルを第１の基準として自動的に選択する手段と、
前記ユーザデバイスにおいて、前記マニフェストファイルに基づいて、前記チャプタを第２の基準として自動的に選択する手段と、
前記第１の基準および前記第２の基準に基づいて、前記複数の検索結果をフィルタ処理する手段と、
前記第１の基準および前記第２の基準に基づいて前記複数の検索結果をフィルタ処理した後、前記第１の基準および前記第２の基準に合致する前記複数の検索結果のうちの検索結果を表示のために生成する手段と、
前記ユーザデバイスにおいて、前記検索結果を選択する第２のユーザ入力を受信する手段と、
前記ユーザデバイスにおいて、前記検索結果に対応する補足コンテンツアイテムを受信する手段と、
前記ユーザデバイスにおいて、前記補足コンテンツアイテムを表示のために生成する手段と
を備えている、システム。
（項目２３）
第３の基準に基づいて、前記検索結果をフィルタ処理する手段をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク、
のうちの少なくとも１つに基づいている、項目２２に記載のシステム。
（項目２４）
前記ユーザデバイスにおいて、前記検索結果をフィルタ処理するための第３の基準を自動的に選択する手段をさらに備え、前記第３の基準は、前記電子ブックに関連付けられた映画のバージョンに基づいている、項目２２に記載のシステム。
（項目２５）
ユーザ入力を受信することによって前記テキストの部分を識別し、前記テキストの部分のためのＥＰＵＢオーバーレイクラスを生成することによって、前記テキストの部分をハイライトする手段をさらに備えている、項目２２に記載のシステム。
（項目２６）
前記補足コンテンツを第２のユーザデバイスと共有するための選択可能オプションを提供する手段と、
前記選択可能オプションを選択するユーザ入力を受信することに応答して、前記補足コンテンツを前記第２のユーザデバイスにおいて表示のために生成する手段と
をさらに備えている、項目２２に記載のシステム。
（項目２７）
前記補足コンテンツに対応する前記電子ブックの文を決定する手段と、
前記文のためのＥＰＵＢオーバーレイクラスと前記補足コンテンツを示す前記オーバーレイクラスにおけるインジケータとを生成することによって、視覚ハイライトを前記文に適用する手段と
をさらに備えている、項目２２に記載のシステム。
（項目２８）
前記チャプタを自動的に選択することは、前記電子ブックのテキストの最後に表示されたページに基づいて、前記電子ブックにおけるユーザの進捗に対応するページ番号を決定する手段を備えている、項目２２に記載のシステム。
（項目２９）
前記ユーザデバイスにおいて、前記テキストの部分と同じページにおいて前記電子ブック表示に組み込まれた選択可能インジケータを生成する手段をさらに備え、前記選択可能インジケータは、選択されると、前記補足コンテンツアイテムが前記ユーザデバイスにおいて表示されることをもたらす、項目２２に記載のシステム。
（項目３０）
前記ユーザデバイスにおいて、前記補足コンテンツアイテムと前記テキストの部分に戻るための選択可能オプションとを表示のために生成する手段をさらに備えている、項目２２に記載のシステム。
（項目３１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定する手段をさらに備えている、項目２２に記載のシステム。
（項目３２）
電子ブックに伴う補足コンテンツを提供するためのエンコードされた非一過性のコンピュータ読み取り可能な命令を有する非一過性のコンピュータ読み取り可能な媒体であって、前記命令は、
ユーザデバイスにおいて、電子ブックにおけるテキストの部分を選択する第１のユーザ入力を受信するための命令と、
前記ユーザデバイスにおいて、前記テキストの部分を解析し、前記テキストの部分におけるキーワードを決定するための命令と、
前記ユーザデバイスにおいて、前記キーワードに基づいて、補足コンテンツのためのクエリを生成するための命令と、
前記ユーザデバイスから、前記クエリを遠隔データベースに伝送するための命令と、
前記ユーザデバイスにおいて、前記遠隔データベースから、前記キーワードに基づく複数の検索結果を受信するための命令と、
前記ユーザデバイスにおいて、前記電子ブックのためのマニフェストファイルを読み出すための命令であって、前記マニフェストファイルは、前記テキストの部分が選択された前記電子ブックのタイトルおよび前記電子ブックのチャプタを示す、命令と、
前記ユーザデバイスにおいて、前記マニフェストファイルに基づいて、前記タイトルを第１の基準として自動的に選択するための命令と、
前記ユーザデバイスにおいて、前記マニフェストファイルに基づいて、前記チャプタを第２の基準として自動的に選択するための命令と、
前記第１の基準および前記第２の基準に基づいて、前記複数の検索結果をフィルタ処理するための命令と、
前記第１の基準および前記第２の基準に基づいて前記複数の検索結果をフィルタ処理した後、前記第１の基準および前記第２の基準に合致する前記複数の検索結果のうちの検索結果を表示のために生成するための命令と、
前記ユーザデバイスにおいて、前記検索結果を選択する第２のユーザ入力を受信するための命令と、
前記ユーザデバイスにおいて、前記検索結果に対応する補足コンテンツアイテムを受信するための命令と、
前記ユーザデバイスにおいて、前記補足コンテンツアイテムを表示のために生成するための命令と
を備えている、非一過性のコンピュータ読み取り可能な媒体。
（項目３３）
第３の基準に基づいて、前記検索結果をフィルタ処理するための命令をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目３２に記載の非一過性のコンピュータ読み取り可能な媒体。
（項目３４）
前記ユーザデバイスにおいて、前記検索結果をフィルタ処理するための第３の基準を自動的に選択するための命令をさらに備え、前記第３の基準は、前記電子ブックに関連付けられた映画のバージョンに基づいている、項目３２に記載の非一過性のコンピュータ読み取り可能な媒体。
（項目３５）
ユーザ入力を受信することによって前記テキストの部分を識別し、前記テキストの部分のためのＥＰＵＢオーバーレイクラスを生成することによって、前記テキストの部分をハイライトするための命令をさらに備えている、項目３２に記載の非一過性のコンピュータ読み取り可能な媒体。
（項目３６）
前記補足コンテンツを第２のユーザデバイスと共有するための選択可能オプションを提供するための命令と、
前記選択可能オプションを選択するユーザ入力を受信することに応答して、前記補足コンテンツを前記第２のユーザデバイスにおいて表示のために生成するための命令と
をさらに備えている、項目３２に記載の非一過性のコンピュータ読み取り可能な媒体。
（項目３７）
前記補足コンテンツに対応する前記電子ブックの文を決定するための命令と、
前記文のためのＥＰＵＢオーバーレイクラスと前記補足コンテンツを示す前記オーバーレイクラスにおけるインジケータとを生成することによって、視覚ハイライトを前記文に適用するための命令と
をさらに備えている、項目３２に記載の非一過性のコンピュータ読み取り可能な媒体。
（項目３８）
前記チャプタを自動的に選択するための前記命令は、前記電子ブックのテキストの最後に表示されたページに基づいて、前記電子ブックにおけるユーザの進捗に対応するページ番号を決定するための命令を備えている、項目３２に記載の非一過性のコンピュータ読み取り可能な媒体。
（項目３９）
前記ユーザデバイスにおいて、前記テキストの部分と同じページにおいて前記電子ブック表示に組み込まれた選択可能インジケータを生成するための命令をさらに備え、前記選択可能インジケータは、選択されると、前記補足コンテンツアイテムが前記ユーザデバイスにおいて表示されることをもたらす、項目３２に記載の非一過性のコンピュータ読み取り可能な媒体。
（項目４０）
前記ユーザデバイスにおいて、前記補足コンテンツアイテムと前記テキストの部分に戻るための選択可能オプションとを表示のために生成するための命令をさらに備えている、項目３２に記載の非一過性のコンピュータ読み取り可能な媒体。
（項目４１）
前記ユーザデバイスまたは前記第２のユーザデバイスにおいて、前記補足コンテンツアイテムを表示のために生成するための前記命令は、前記補足コンテンツアイテムが表示されることが可能かどうかをコンテンツ制御に基づいて決定するための命令をさらに備えている、項目３２に記載の非一過性のコンピュータ読み取り可能な媒体。
（項目４２）
電子ブックに伴う補足コンテンツを提供する方法であって、前記方法は、
ユーザデバイスにおいて、電子ブックにおけるテキストの部分を選択する第１のユーザ入力を受信することと、
前記ユーザデバイスにおいて、前記テキストの部分を解析し、前記テキストの部分におけるキーワードを決定することと、
前記ユーザデバイスにおいて、前記キーワードに基づいて、補足コンテンツのためのクエリを生成することと、
前記ユーザデバイスから、前記クエリを遠隔データベースに伝送することと、
前記ユーザデバイスにおいて、前記遠隔データベースから、前記キーワードに基づく複数の検索結果を受信することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記第１の基準および前記第２の基準に基づいて、前記複数の検索結果をフィルタ処理することと、
前記第１の基準および前記第２の基準に基づいて前記複数の検索結果をフィルタ処理した後、前記第１の基準および前記第２の基準に合致する前記複数の検索結果のうちの検索結果を表示のために生成することと、
前記ユーザデバイスにおいて、前記検索結果を選択する第２のユーザ入力を受信することと、
前記ユーザデバイスにおいて、前記検索結果に対応する補足コンテンツアイテムを受信することと、
前記ユーザデバイスにおいて、前記補足コンテンツアイテムを表示のために生成することと
を含む、方法。
（項目４３）
第３の基準に基づいて、前記検索結果をフィルタ処理することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目４２に記載の方法。
（項目４４）
前記ユーザデバイスにおいて、前記検索結果をフィルタ処理するための第３の基準を自動的に選択することをさらに含み、前記第３の基準は、前記電子ブックに関連付けられた映画のバージョンに基づいている、項目４２−４３のいずれか１項に記載の方法。
（項目４５）
ユーザ入力を受信することによって前記テキストの部分を識別し、前記テキストの部分のためのＥＰＵＢオーバーレイクラスを生成することによって、前記テキストの部分をハイライトすることをさらに含む、項目４２−４４のいずれか１項に記載の方法。
（項目４６）
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、項目４２−４５のいずれか１項に記載の方法。
（項目４７）
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、項目４２−４６のいずれか１項に記載の方法。
（項目４８）
前記チャプタを自動的に選択することは、前記電子ブックのテキストの最後に表示されたページに基づいて、前記電子ブックにおけるユーザの進捗に対応するページ番号を決定することを含む、項目４２−４７のいずれか１項に記載の方法。
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、項目４２−４８のいずれか１項に記載の方法。
（項目４９）
前記ユーザデバイスにおいて、前記補足コンテンツアイテムと前記テキストの部分に戻るための選択可能オプションとを表示のために生成することをさらに含む、項目４２−４９のいずれか１項に記載の方法。
（項目５０）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、項目４２−５０のいずれか１項に記載の方法。
（項目５１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、項目４２−５０のいずれか１項に記載の方法。
（項目５２）
電子ブックに伴う補足コンテンツを提供する方法であって、前記方法は、
ユーザデバイスにおいて表示された電子ブックにおけるテキストの部分を選択するユーザ入力を受信することと、
前記ユーザデバイスにおいて、前記テキストの部分を解析し、前記テキストの部分におけるキーワードを決定することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記ユーザデバイスにおいて、前記キーワード、前記第１の基準、および前記第２の基準に基づいて、補足コンテンツのためのクエリを生成することと、
前記ユーザデバイスから、前記クエリを遠隔データベースに伝送することであって、前記遠隔データベースは、前記キーワード、前記第１の基準、および前記第２の基準に合致する補足コンテンツアイテムに関して検索される、ことと、
前記ユーザデバイスにおいて、前記補足コンテンツアイテムを受信することと、
前記ユーザデバイスにおいて、前記補足コンテンツアイテムを表示のために生成することと
を含む、方法。
（項目５３）
前記クエリのための第３の基準を選択することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目５２に記載の方法。
（項目５４）
前記ユーザデバイスにおいて、前記クエリのための第３の基準を自動的に選択することをさらに含み、前記第３の基準は、前記電子ブックに関連付けられた映画のバージョンに基づいている、項目５２に記載の方法。
（項目５５）
ユーザ入力を受信することによって前記テキストの部分を識別し、前記テキストの部分のためのＥＰＵＢオーバーレイクラスを生成することによって、前記テキストの部分をハイライトすることをさらに含む、項目５２に記載の方法。
（項目５６）
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、項目５２に記載の方法。
（項目５７）
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、項目５２に記載の方法。
（項目５８）
前記チャプタを自動的に選択することは、前記電子ブックのテキストの最後に表示されたページに基づいて、前記電子ブックにおけるユーザの進捗に対応するページ番号を決定することを含む、項目５２に記載の方法。
（項目５９）
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、項目５２に記載の方法。
（項目６０）
前記ユーザデバイスにおいて、前記補足コンテンツアイテムと前記テキストの部分に戻るための選択可能オプションとを表示のために生成することをさらに含む、項目５２に記載の方法。
（項目６１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、項目５２に記載の方法。
（項目６２）
電子ブックに伴う補足コンテンツを提供するためのシステムであって、前記システムは、
ユーザ入力を受信するように構成された入出力（Ｉ／Ｏ）インターフェース回路と、
制御回路と
を備え、
前記制御回路は、
ユーザデバイスにおいて表示された電子ブックにおけるテキストの部分を選択するユーザ入力を受信することと、
前記ユーザデバイスにおいて、前記テキストの部分を解析し、前記テキストの部分におけるキーワードを決定することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記ユーザデバイスにおいて、前記キーワード、前記第１の基準、および前記第２の基準に基づいて、補足コンテンツのためのクエリを生成することと、
前記ユーザデバイスから、前記クエリを遠隔データベースに伝送することであって、前記遠隔データベースは、前記キーワード、前記第１の基準、および前記第２の基準に合致する補足コンテンツアイテムに関して検索される、ことと、
前記ユーザデバイスにおいて、前記補足コンテンツアイテムを受信することと、
前記ユーザデバイスにおいて、前記補足コンテンツアイテムを表示のために生成することと
を行うように構成されている、システム。
（項目６３）
前記制御回路は、前記クエリのための第３の基準を選択するようにさらに構成され、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目６２に記載のシステム。
（項目６４）
前記制御回路は、前記ユーザデバイスにおいて、前記クエリのための第３の基準を自動的に選択するようにさらに構成され、前記第３の基準は、前記電子ブックに関連付けられた映画のバージョンに基づいている、項目６２に記載のシステム。
（項目６５）
前記制御回路は、ユーザ入力を受信することによって前記テキストの部分を識別し、前記テキストの部分のためのＥＰＵＢオーバーレイクラスを生成することによって、前記テキストの部分をハイライトするようにさらに構成されている、項目６２に記載のシステム。
（項目６６）
前記制御回路は、
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
を行うようにさらに構成されている、項目６２に記載のシステム。
（項目６７）
前記制御回路は、
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
を行うようにさらに構成されている、項目６２に記載のシステム。
（項目６８）
前記チャプタを自動的に選択することは、前記電子ブックのテキストの最後に表示されたページに基づいて、前記電子ブックにおけるユーザの進捗に対応するページ番号を決定することを含む、項目６２に記載のシステム。
（項目６９）
前記制御回路は、前記ユーザデバイスにおいて、前記テキストの部分と同じページにおいて前記電子ブック表示に組み込まれた選択可能インジケータを生成するようにさらに構成され、前記選択可能インジケータは、選択されると、前記補足コンテンツアイテムが前記ユーザデバイスにおいて表示されることをもたらす、項目６２に記載のシステム。
（項目７０）
前記制御回路は、前記ユーザデバイスにおいて、前記補足コンテンツアイテムと前記テキストの部分に戻るための選択可能オプションとを表示のために生成するようにさらに構成されている、項目６２に記載のシステム。
（項目７１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、項目６２に記載のシステム。
（項目７２）
電子ブックに伴う補足コンテンツを提供する方法であって、前記方法は、
ユーザデバイスにおいて表示された電子ブックにおけるテキストの部分を選択するユーザ入力を受信する手段と、
前記ユーザデバイスにおいて、前記テキストの部分を解析し、前記テキストの部分におけるキーワードを決定する手段と、
前記ユーザデバイスにおいて、前記電子ブックのためのマニフェストファイルを読み出す手段であって、前記マニフェストファイルは、前記テキストの部分が選択された前記電子ブックのタイトルおよび前記電子ブックのチャプタを示す、手段と、
前記ユーザデバイスにおいて、前記マニフェストファイルに基づいて、前記タイトルを第１の基準として自動的に選択する手段と、
前記ユーザデバイスにおいて、前記マニフェストファイルに基づいて、前記チャプタを第２の基準として自動的に選択する手段と、
前記ユーザデバイスにおいて、前記キーワード、前記第１の基準、および前記第２の基準に基づいて、補足コンテンツのためのクエリを生成する手段と、
前記ユーザデバイスから、前記クエリを遠隔データベースに伝送する手段であって、前記遠隔データベースは、前記キーワード、前記第１の基準、および前記第２の基準に合致する補足コンテンツアイテムに関して検索される、手段と、
前記ユーザデバイスにおいて、前記補足コンテンツアイテムを受信する手段と、
前記ユーザデバイスにおいて、前記補足コンテンツアイテムを表示のために生成する手段と
を備えている、方法。
（項目７３）
前記クエリのための第３の基準を選択する手段をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目７２に記載の方法。
（項目７４）
前記ユーザデバイスにおいて、前記クエリのための第３の基準を自動的に選択する手段をさらに備え、前記第３の基準は、前記電子ブックに関連付けられた映画のバージョンに基づいている、項目７２に記載の方法。
（項目７５）
ユーザ入力を受信することによって前記テキストの部分を識別し、前記テキストの部分のためのＥＰＵＢオーバーレイクラスを生成することによって、前記テキストの部分をハイライトする手段をさらに備えている、項目７２に記載の方法。
（項目７６）
前記補足コンテンツを第２のユーザデバイスと共有するための選択可能オプションを提供する手段と、
前記選択可能オプションを選択するユーザ入力を受信することに応答して、前記補足コンテンツを前記第２のユーザデバイスにおいて表示のために生成する手段と
をさらに備えている、項目７２に記載の方法。
（項目７７）
前記補足コンテンツに対応する前記電子ブックの文を決定する手段と、
前記文のためのＥＰＵＢオーバーレイクラスと前記補足コンテンツを示す前記オーバーレイクラスにおけるインジケータとを生成することによって、視覚ハイライトを前記文に適用する手段と
をさらに備えている、項目７２に記載の方法。
（項目７８）
前記チャプタを自動的に選択することは、前記電子ブックのテキストの最後に表示されたページに基づいて、前記電子ブックにおけるユーザの進捗に対応するページ番号を決定する手段を備えている、項目７２に記載の方法。
（項目７９）
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、項目７２に記載の方法。
（項目８０）
前記ユーザデバイスにおいて、前記補足コンテンツアイテムと前記テキストの部分に戻るための選択可能オプションとを表示のために生成する手段をさらに備えている、項目７２に記載の方法。
（項目８１）
前記ユーザデバイスまたは前記第２のユーザデバイスにおいて、前記補足コンテンツアイテムを表示のために生成する手段は、前記補足コンテンツアイテムが表示されることが可能かどうかをコンテンツ制御に基づいて決定する手段をさらに備えている、項目７２に記載の方法。
（項目８２）
電子ブックに伴う補足コンテンツを提供するためのエンコードされた非一過性のコンピュータ読み取り可能な命令を有する非一過性のコンピュータ読み取り可能な媒体であって、前記命令は、
ユーザデバイスにおいて表示された電子ブックにおけるテキストの部分を選択するユーザ入力を受信するための命令と、
前記ユーザデバイスにおいて、前記テキストの部分を解析し、前記テキストの部分におけるキーワードを決定するための命令と、
前記ユーザデバイスにおいて、前記電子ブックのためのマニフェストファイルを読み出すための命令であって、前記マニフェストファイルは、前記テキストの部分が選択された前記電子ブックのタイトルおよび前記電子ブックのチャプタを示す、命令と、
前記ユーザデバイスにおいて、前記マニフェストファイルに基づいて、前記タイトルを第１の基準として自動的に選択するための命令と、
前記ユーザデバイスにおいて、前記マニフェストファイルに基づいて、前記チャプタを第２の基準として自動的に選択するための命令と、
前記ユーザデバイスにおいて、前記キーワード、前記第１の基準、および前記第２の基準に基づいて、補足コンテンツのためのクエリを生成するための命令と、
前記ユーザデバイスから、前記クエリを遠隔データベースに伝送するための命令であって、前記遠隔データベースは、前記キーワード、前記第１の基準、および前記第２の基準に合致する補足コンテンツアイテムに関して検索される、命令と、
前記ユーザデバイスにおいて、前記補足コンテンツアイテムを受信するための命令と、
前記ユーザデバイスにおいて、前記補足コンテンツアイテムを表示のために生成するための命令と
を備えている、非一過性のコンピュータ読み取り可能な媒体。
（項目８３）
前記クエリのための第３の基準を選択するための命令をさらに備え、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目８２に記載の非一過性のコンピュータ読み取り可能な媒体。
（項目８４）
前記ユーザデバイスにおいて、前記クエリのための第３の基準を自動的に選択するための命令をさらに備え、前記第３の基準は、前記電子ブックに関連付けられた映画のバージョンに基づいている、項目８２に記載の非一過性のコンピュータ読み取り可能な媒体。
（項目８５）
ユーザ入力を受信することによって前記テキストの部分を識別し、前記テキストの部分のためのＥＰＵＢオーバーレイクラスを生成することによって、前記テキストの部分をハイライトするための命令をさらに備えている、項目８２に記載の非一過性のコンピュータ読み取り可能な媒体。
（項目８６）
前記補足コンテンツを第２のユーザデバイスと共有するための選択可能オプションを提供するための命令と、
前記選択可能オプションを選択するユーザ入力を受信することに応答して、前記補足コンテンツを前記第２のユーザデバイスにおいて表示のために生成するための命令と
をさらに備えている、項目８２に記載の非一過性のコンピュータ読み取り可能な媒体。
（項目８７）
前記補足コンテンツに対応する前記電子ブックの文を決定するための命令と、
前記文のためのＥＰＵＢオーバーレイクラスと前記補足コンテンツを示す前記オーバーレイクラスにおけるインジケータとを生成することによって、視覚ハイライトを前記文に適用するための命令と
をさらに備えている、項目８２に記載の非一過性のコンピュータ読み取り可能な媒体。
（項目８８）
前記チャプタを自動的に選択することは、前記電子ブックのテキストの最後に表示されたページに基づいて、前記電子ブックにおけるユーザの進捗に対応するページ番号を決定するための命令を備えている、項目８２に記載の非一過性のコンピュータ読み取り可能な媒体。
（項目８９）
前記ユーザデバイスにおいて、前記テキストの部分と同じページにおいて前記電子ブック表示に組み込まれた選択可能インジケータを生成するための命令をさらに備え、前記選択可能インジケータは、選択されると、前記補足コンテンツアイテムが前記ユーザデバイスにおいて表示されることをもたらす、項目８２に記載の非一過性のコンピュータ読み取り可能な媒体。
（項目９０）
前記ユーザデバイスにおいて、前記補足コンテンツアイテムと前記テキストの部分に戻るための選択可能オプションとを表示のために生成するための命令をさらに備えている、項目８２に記載の非一過性のコンピュータ読み取り可能な媒体。
（項目９１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定するための命令をさらに備えている、項目８２に記載の非一過性のコンピュータ読み取り可能な媒体。
（項目９２）
電子ブックに伴う補足コンテンツを提供する方法であって、前記方法は、
ユーザデバイスにおいて表示された電子ブックにおけるテキストの部分を選択するユーザ入力を受信することと、
前記ユーザデバイスにおいて、前記テキストの部分を解析し、前記テキストの部分におけるキーワードを決定することと、
前記ユーザデバイスにおいて、前記電子ブックのためのマニフェストファイルを読み出すことであって、前記マニフェストファイルは、前記テキストの部分が選択された前記電子ブックのタイトルおよび前記電子ブックのチャプタを示す、ことと、
前記ユーザデバイスにおいて、前記マニフェストファイルに基づいて、前記タイトルを第１の基準として自動的に選択することと、
前記ユーザデバイスにおいて、前記マニフェストファイルに基づいて、前記チャプタを第２の基準として自動的に選択することと、
前記ユーザデバイスにおいて、前記キーワード、前記第１の基準、および前記第２の基準に基づいて、補足コンテンツのためのクエリを生成することと、
前記ユーザデバイスから、前記クエリを遠隔データベースに伝送することであって、前記遠隔データベースは、前記キーワード、前記第１の基準、および前記第２の基準に合致する補足コンテンツアイテムに関して検索される、ことと、
前記ユーザデバイスにおいて、前記補足コンテンツアイテムを受信することと、
前記ユーザデバイスにおいて、前記補足コンテンツアイテムを表示のために生成することと
を含む、方法。
（項目９３）
前記クエリのための第３の基準を選択することをさらに含み、前記第３の基準は、
前記マニフェストファイルによって示されるような前記テキストの部分のページ番号、
前記マニフェストファイルによって示されるような前記テキストの部分の行番号、
前記マニフェストファイルによって示されるような前記テキストの部分の段落番号、
前記マニフェストファイルによって示されるような前記テキストの部分の場面、および
前記マニフェストファイルによって示されるような前記テキストの部分の電子ブックマーク
のうちの少なくとも１つに基づいている、項目９２に記載の方法。
（項目９４）
前記ユーザデバイスにおいて、前記クエリのための第３の基準を自動的に選択することをさらに含み、前記第３の基準は、前記電子ブックに関連付けられた映画のバージョンに基づいている、項目９２−９３のいずれか１項に記載の方法。
（項目９５）
ユーザ入力を受信することによって前記テキストの部分を識別し、前記テキストの部分のためのＥＰＵＢオーバーレイクラスを生成することによって、前記テキストの部分をハイライトすることをさらに含む、項目９２−９４のいずれか１項に記載の方法。
（項目９６）
前記補足コンテンツを第２のユーザデバイスと共有するための選択可能オプションを提供することと、
前記選択可能オプションを選択するユーザ入力を受信することに応答して、前記補足コンテンツを前記第２のユーザデバイスにおいて表示のために生成することと
をさらに含む、項目９２−９５のいずれか１項に記載の方法。
（項目９７）
前記補足コンテンツに対応する前記電子ブックの文を決定することと、
前記文のためのＥＰＵＢオーバーレイクラスと前記補足コンテンツを示す前記オーバーレイクラスにおけるインジケータとを生成することによって、視覚ハイライトを前記文に適用することと
をさらに含む、項目９２−９６のいずれか１項に記載の方法。
（項目９８）
前記チャプタを自動的に選択することは、前記電子ブックのテキストの最後に表示されたページに基づいて、前記電子ブックにおけるユーザの進捗に対応するページ番号を決定することを含む、項目９２−９７のいずれか１項に記載の方法。
（項目９９）
前記ユーザデバイスにおいて、前記テキストの部分と同じページにおいて前記電子ブック表示に組み込まれた選択可能インジケータを生成することをさらに含み、前記選択可能インジケータは、選択されると、前記補足コンテンツアイテムが前記ユーザデバイスにおいて表示されることをもたらす、項目９２−９８のいずれか１項に記載の方法。
（項目１００）
前記ユーザデバイスにおいて、前記補足コンテンツアイテムと前記テキストの部分に戻るための選択可能オプションとを表示のために生成することをさらに含む、項目９２−９９のいずれか１項に記載の方法。
（項目１０１）
前記ユーザデバイスまたは前記第２のユーザデバイスにおいて、前記補足コンテンツアイテムを表示のために生成することは、前記補足コンテンツアイテムが表示されることが可能かどうかをコンテンツ制御に基づいて決定することをさらに含む、項目９２−１００のいずれか１項に記載の方法。